(57)【要約】【課題】ユーザーが選択したサムネイル画像のうち所望するサムネイル画像を簡単な操作で表示することができる画像表示装置を提供すること。【解決手段】サムネイル列に表示したサムネイルからユーザーが選択したサムネイルの順番を、選択番号として対応するスクロールバー５０の位置に表示し、その選択番号や、その選択番号に対応する位置のスクロールバー５０をタッチすれば、その選択番号に対応するサムネイルが、サムネイル列に表示される。よって、選択番号や、選択番号に対応する位置のスクロールバー５０をタッチするという簡単な操作で、ユーザーが選択したサムネイルのうち、ユーザーが所望するサムネイルを表示することができる。【選択図】図７
2008301254.tif 000002
【特許請求の範囲】
【請求項１】
記憶手段に記憶された複数の画像について、その複数の画像データのサムネイルを表示手段に表示する表示順との対応情報を管理する管理手段と、
その管理手段で管理される対応情報に従い、所定数までを上限として、各画像のサムネイルを並べて表示手段に表示する第１表示制御手段と、
その第１表示制御手段によって前記表示手段に表示されているサムネイルのなかから所定のサムネイルが選択されたことを条件に、その選択された選択サムネイルと、その選択サムネイルを特定可能な特定情報とを対応つけて記憶する選択サムネイル記憶手段と、
前記第１表示制御手段によって表示されているサムネイルとは別に、前記選択サムネイル記憶手段に記憶されている特定情報を表示手段に表示する特定情報表示制御手段と、
その特定情報表示制御手段によって表示されている前記特定情報が選択されたことを条件に、その選択された特定情報に対応する選択サムネイルを前記表示手段に表示する選択サムネイル表示制御手段とを備えていることを特徴とする画像表示装置。
【請求項２】
記憶手段に記憶された複数の画像について、その複数の画像データのサムネイルを表示手段に表示する表示順との対応情報を管理する管理手段と、
その管理手段で管理される対応情報に従い、所定数までを上限として、各画像のサムネイルを並べて表示手段に表示する第１表示制御手段と、
前記サムネイルの全部に対応した領域を有し、その領域のうちの何れかの領域と、何れかのサムネイルとが対応するアイコンを表示手段に表示するアイコン表示制御手段と、
前記第１表示制御手段によって前記表示手段に表示されているサムネイルのなかから所定のサムネイルが選択されたことを条件に、その選択された選択サムネイルと、その選択サムネイルを特定可能な特定情報とを対応つけて記憶する選択サムネイル記憶手段と、
前記第１表示制御手段によって表示されているサムネイルとは別に、前記選択サムネイル記憶手段に記憶されている特定情報を、前記アイコン表示制御手段によって表示されているアイコンのうち、前記選択サムネイルに対応する領域に対応つけて表示手段に表示する特定情報表示制御手段と、
前記アイコンのうち、いずれかの領域が選択されたことを条件に、その領域に対応するサムネイルを前記表示手段に表示する選択サムネイル表示制御手段とを備えていることを特徴とする画像表示装置。
【請求項３】
前記第１表示制御手段によって前記表示手段に表示されているサムネイルのなかからサムネイルが選択された順番を示す選択順番をカウントするカウント手段を備え、
前記特定情報は、前記カウント手段によってカウントされた前記選択順番であることを特徴とする請求項１又は２に記載の画像表示装置。
【請求項４】
前記選択サムネイル表示制御手段は、前記特定情報が選択されたことを条件に、その選択された特定情報に対応する選択サムネイルを含むように、各画像のサムネイルを並び替えて前記表示手段に表示することを特徴とする請求項３に記載の画像表示装置。
【請求項５】
前記選択サムネイル表示制御手段は、前記アイコンのうち、いずれかの領域が選択されたことを条件に、その選択された領域に対応するサムネイルを含むように、各画像のサムネイルを並び替えて前記表示手段に表示することを特徴とする請求項３に記載の画像表示装置。
【請求項６】
所定数毎に前記選択サムネイルが属するグループを設定するグループ設定手段を備え、
前記特定情報表示制御手段は、前記グループ設定手段によって設定される各グループ毎に、前記特定情報の表示態様を替えて表示することを特徴とする請求項１から５のいずれかに記載の画像表示装置。
【請求項７】
前記選択サムネイル記憶手段は、前記第１表示制御手段によって前記表示手段に表示されているサムネイルのなかから同じサムネイルが複数回選択されたことを条件に、その選択された選択サムネイルと、その選択回数とを対応つけて記憶し、
前記特定情報表示制御手段は、前記特定情報と、前記選択回数とを対応つけて表示手段に表示することを特徴とする請求項１から６のいずれかに記載の画像表示装置。
【請求項８】
前記サムネイルの各々と、そのサムネイルの各々を表示する前記表示手段上の表示領域との対応情報を記憶するサムネイル表示領域記憶手段と、
前記特定情報の各々と、その特定情報の各々を表示する前記表示手段上の表示領域との対応情報を記憶する特定情報表示領域記憶手段と、
前記表示手段上の表示領域のうち、直接入力がなされた表示領域が、いずれかのサムネイルを表示する表示領域かを検出し、その検出された表示領域に表示されているサムネイルを選択サムネイルとして検出し、直接入力がなされた表示領域が、いずれかの特定情報を表示する表示領域かを検出し、その検出された表示領域に表示されている特定情報を選択された特定情報として検出する検出手段とを備えていることを特徴とする請求項１に記載の画像表示装置。
【請求項９】
前記サムネイルの各々と、そのサムネイルの各々を表示する前記表示手段上の表示領域との対応情報を記憶するサムネイル表示領域記憶手段と、
前記アイコンの領域と、そのアイコンの各領域を示す前記表示手段上の表示領域との対応情報を記憶するアイコン表示領域記憶手段と、
前記表示手段上の表示領域のうち、直接入力がなされた表示領域が、いずれかのサムネイルを表示する表示領域かを検出し、その検出された表示領域に表示されているサムネイルを選択サムネイルとして検出し、直接入力がなされた表示領域が、いずれかのアイコンの領域を表示する表示領域かを検出し、その検出された表示領域に対応するサムネイルを選択されたサムネイルとして検出する検出手段とを備えていることを特徴とする請求項２に記載の画像表示装置。
【請求項１０】
前記選択順番に従った画像を、前記表示手段に表示させるスライド表示制御手段、または、一つのファイルにまとめて格納するファイル作成手段、または、印刷する印刷手段、または、ファクシミリ送信するファクシミリ送信手段を備えていることを特徴とする請求項３から９のいずれかに記載の画像表示装置。
【発明の詳細な説明】
【技術分野】
【０００１】
本発明は、ユーザーが選択したサムネイル画像のうちユーザーが所望するサムネイル画像を簡単な操作で表示することができる画像表示装置に関するものである。
【背景技術】
【０００２】
従来より、複数の画像データの各々から作成される各サムネイルを表示する表示手段を備えた画像表示装置が知られている。この画像表示装置に関し、次の特許文献１には、ディスプレイ部３２に所定の順番で並べられているサムネイル画像の中から、ユーザーによって選択されたサムネイル画像は、選択されていないサムネイル画像と峻別可能に表示する。そして、ユーザーによって設定終了ボタンＢＴ１０が押下された場合には、サムネイル画像の選択が終了したとして、ユーザーにより選択されたサムネイル画像と選択されていないサムネイル画像とをそれぞれ纏めて並び替えて（ソートして）表示する技術が開示されている。
【特許文献１】特開２００５−１０９９０７号公報（段落第「０１２３」、図９，図１０等）
【発明の開示】
【発明が解決しようとする課題】
【０００３】
しかしながら、上述した特許文献１に開示されている技術では、ユーザーにより選択されたサムネイル画像が多い場合には、表示画面中に表示されないサムネイルを確認することができないという問題点があった。
【０００４】
また、この場合に、表示画面を切替えることで、表示されなかったサムネイル画像を確認することができるように構成することを考えられるが、かかる場合には、サムネイル画像を並び替える指示を入力する操作と、表示画面を切替える指示を入力する操作との２つ操作が必要となり、選択したサムネイル画像のなかから、特に、ユーザーが所望するサムネイル画像を表示するまでの操作が手間であるという問題点があった。
【０００５】
本発明は上述した問題点を解決するためになされたものであり、ユーザーが選択したサムネイル画像のうちユーザーが所望するサムネイル画像を簡単な操作で表示することができる画像表示装置を提供することを目的としている。
【課題を解決するための手段】
【０００６】
この目的を達成するために、請求項１記載の画像表示装置は、記憶手段に記憶された複数の画像について、その複数の画像データのサムネイルを表示手段に表示する表示順との対応情報を管理する管理手段と、その管理手段で管理される対応情報に従い、所定数までを上限として、各画像のサムネイルを並べて表示手段に表示する第１表示制御手段と、その第１表示制御手段によって前記表示手段に表示されているサムネイルのなかから所定のサムネイルが選択されたことを条件に、その選択された選択サムネイルと、その選択サムネイルを特定可能な特定情報とを対応つけて記憶する選択サムネイル記憶手段と、前記第１表示制御手段によって表示されているサムネイルとは別に、前記選択サムネイル記憶手段に記憶されている特定情報を表示手段に表示する特定情報表示制御手段と、その特定情報表示制御手段によって表示されている前記特定情報が選択されたことを条件に、その選択された特定情報に対応する選択サムネイルを前記表示手段に表示する選択サムネイル表示制御手段とを備えている。
【０００７】
請求項２記載の画像表示装置は、記憶手段に記憶された複数の画像について、その複数の画像データのサムネイルを表示手段に表示する表示順との対応情報を管理する管理手段と、その管理手段で管理される対応情報に従い、所定数までを上限として、各画像のサムネイルを並べて表示手段に表示する第１表示制御手段と、前記サムネイルの全部に対応した領域を有し、その領域のうちの何れかの領域と、何れかのサムネイルとが対応するアイコンを表示手段に表示するアイコン表示制御手段と、前記第１表示制御手段によって前記表示手段に表示されているサムネイルのなかから所定のサムネイルが選択されたことを条件に、その選択された選択サムネイルと、その選択サムネイルを特定可能な特定情報とを対応つけて記憶する選択サムネイル記憶手段と、前記第１表示制御手段によって表示されているサムネイルとは別に、前記選択サムネイル記憶手段に記憶されている特定情報を、前記アイコン表示制御手段によって表示されているアイコンのうち、前記選択サムネイルに対応する領域に対応つけて表示手段に表示する特定情報表示制御手段と、前記アイコンのうち、いずれかの領域が選択されたことを条件に、その領域に対応するサムネイルを前記表示手段に表示する選択サムネイル表示制御手段とを備えていることを特徴とする画像表示装置。
【０００８】
請求項３記載の画像表示装置は、請求項１又は２に記載の画像表示装置において、前記第１表示制御手段によって前記表示手段に表示されているサムネイルのなかからサムネイルが選択された順番を示す選択順番をカウントするカウント手段を備え、前記特定情報は、前記カウント手段によってカウントされた前記選択順番であることを特徴とする請求項１又は２に記載の画像表示装置。
【０００９】
請求項４記載の画像表示装置は、請求項３に記載の画像表示装置において、前記選択サムネイル表示制御手段は、前記特定情報が選択されたことを条件に、その選択された特定情報に対応する選択サムネイルを含むように、各画像のサムネイルを並び替えて前記表示手段に表示することを特徴とする請求項３に記載の画像表示装置。
【００１０】
請求項５記載の画像表示装置は、請求項３に記載の画像表示装置において、前記選択サムネイル表示制御手段は、前記アイコンのうち、いずれかの領域が選択されたことを条件に、その選択された領域に対応するサムネイルを含むように、各画像のサムネイルを並び替えて前記表示手段に表示することを特徴とする請求項３に記載の画像表示装置。
【００１１】
請求項６記載の画像表示装置は、請求項１から５のいずれかに記載の画像表示装置において、所定数毎に前記選択サムネイルが属するグループを設定するグループ設定手段を備え、前記特定情報表示制御手段は、前記グループ設定手段によって設定される各グループ毎に、前記特定情報の表示態様を替えて表示することを特徴とする請求項１から５のいずれかに記載の画像表示装置。
【００１２】
請求項７記載の画像表示装置は、請求項１から６のいずれかに記載の画像表示装置において、前記選択サムネイル記憶手段は、前記第１表示制御手段によって前記表示手段に表示されているサムネイルのなかから同じサムネイルが複数回選択されたことを条件に、その選択された選択サムネイルと、その選択回数とを対応つけて記憶し、前記特定情報表示制御手段は、前記特定情報と、前記選択回数とを対応つけて表示手段に表示する。
【００１３】
請求項８記載の画像表示装置は、請求項１に記載の画像表示装置において、前記サムネイルの各々と、そのサムネイルの各々を表示する前記表示手段上の表示領域との対応情報を記憶するサムネイル表示領域記憶手段と、前記特定情報の各々と、その特定情報の各々を表示する前記表示手段上の表示領域との対応情報を記憶する特定情報表示領域記憶手段と、前記表示手段上の表示領域のうち、直接入力がなされた表示領域が、いずれかのサムネイルを表示する表示領域かを検出し、その検出された表示領域に表示されているサムネイルを選択サムネイルとして検出し、直接入力がなされた表示領域が、いずれかの特定情報を表示する表示領域かを検出し、その検出された表示領域に表示されている特定情報を選択された特定情報として検出する検出手段とを備えている。尚、「直接入力がなされた」とは、表示手段上の表示領域へ物理的な接触または接近がなされたことをいい、例えば、ユーザーが表示手段上の表示領域へ指や所定の物体を直接接触させたり近づけたりすることをいう（以下、同様）。
【００１４】
請求項９記載の画像表示装置は、請求項２に記載の画像表示装置において、前記サムネイルの各々と、そのサムネイルの各々を表示する前記表示手段上の表示領域との対応情報を記憶するサムネイル表示領域記憶手段と、前記アイコンの領域と、そのアイコンの各領域を示す前記表示手段上の表示領域との対応情報を記憶するアイコン表示領域記憶手段と、前記表示手段上の表示領域のうち、直接入力がなされた表示領域が、いずれかのサムネイルを表示する表示領域かを検出し、その検出された表示領域に表示されているサムネイルを選択サムネイルとして検出し、直接入力がなされた表示領域が、いずれかのアイコンの領域を表示する表示領域かを検出し、その検出された表示領域に対応するサムネイルを選択されたサムネイルとして検出する検出手段とを備えている。
【００１５】
請求項１０記載の画像表示装置は、請求項３から９のいずれかに記載の画像表示装置において、前記選択順番に従った画像を、前記表示手段に表示させるスライド表示制御手段、または、一つのファイルにまとめて格納するファイル作成手段、または、印刷する印刷手段、または、ファクシミリ送信するファクシミリ送信手段を備えている。
【発明の効果】
【００１６】
請求項１記載の画像表示装置によれば、表示手段には、選択サムネイルを特定可能な特定情報が表示される。そして、その特定情報が選択されると、その選択された特定情報に対応する選択サムネイルが表示手段に表示されるので、ユーザーが選択したサムネイルのうち、ユーザーが所望するサムネイルを簡単な操作で表示することができるという効果がある。
【００１７】
請求項２記載の画像表示装置によれば、表示手段には、全部のサムネイルに対応した領域を有するアイコンが表示され、更に、そのアイコンの選択サムネイルに対応する領域には、選択サムネイルを特定可能な特定情報が対応つけて表示される。そして、そのアイコンのいずれかの領域が選択されると、その選択された領域に対応する選択サムネイルが表示手段に表示されるので、ユーザーが選択したサムネイルのうち、ユーザーが所望するサムネイルを簡単な操作で表示することができるという効果がある。
【００１８】
請求項３記載の画像表示装置によれば、請求項１又は２に記載の画像表示装置の奏する効果に加え、選択した順番を一見して確認することができるという効果がある。
【００１９】
請求項４記載の画像表示装置によれば、請求項３に記載の画像表示装置の奏する効果に加え、選択サムネイルを表示するための表示スペースを確保しておく必要がなく、省スペースで選択サムネイルを表示することができるという効果がある。
【００２０】
請求項５記載の画像表示装置によれば、請求項３に記載の画像表示装置の奏する効果に加え、選択サムネイルを表示するための表示スペースを確保しておく必要がなく、省スペースで選択サムネイルを表示することができるという効果がある。
【００２１】
請求項６記載の画像表示装置は、請求項１から５のいずれかに記載の画像表示装置の奏する効果に加え、選択したサムネイルがいずれのグループに属するかを一見して確認することができるという効果がある。
【００２２】
請求項７記載の画像表示装置によれば、請求項１から６のいずれかに記載の画像表示装置の奏する効果に加え、選択回数を一見して確認することができるという効果がある。
【００２３】
請求項８記載の画像表示装置によれば、請求項１に記載の画像表示装置の奏する効果に加え、簡単、且つ、直接的な操作で、サムネイルや特定情報を選択することができるという効果がある。
【００２４】
請求項９記載の画像表示装置によれば、請求項２に記載の画像表示装置の奏する効果に加え、簡単、且つ、直接的な操作で、サムネイルや特定情報を選択することができるという効果がある。
【００２５】
請求項１０記載の画像表示装置によれば、請求項３から９のいずれかに記載の画像表示装置の奏する効果に加え、選択順番に従って各サムネイルに対応する画像を、スライド表示したり、一つのファイルにまとめたり、印刷したり、ファクシミリ送信することができるという効果がある。
【発明を実施するための最良の形態】
【００２６】
以下、本発明の好ましい実施の形態について、添付図面を参照して説明する。図１は、本発明の実施形態である複合機１の外観構成を示す斜視図である。複合機１は、特に、ユーザーが選択したサムネイルのうち、ユーザーが所望するサムネイルを簡単な操作で表示することができる装置である。
【００２７】
複合機１は、下部に設けられたプリンタ２と、上部に設けられたスキャナ３と、スキャナ３の正面側に設けられた操作パネル４とを一体的に備えたＭＦＤ（Ｍｕｌｔｉ  Ｆｕｎｃｔｉｏｎ  Ｄｅｖｉｃｅ）であり、スキャナ機能、コピー機能、ファクシミリ機能を備えている。
【００２８】
その他にも、複合機１は、ＵＳＢメモリ、デジタルカメラ、パーソナルコンピュータ等の外部装置と接続されて外部装置から受け取ったデータを記録用紙Ｋに記録したりする機能、また、外部装置から受け取ったデータを操作パネル４上の液晶ディスプレイ（ＬＣＤ：Ｌｉｑｕｉｄ  Ｃｒｙｓｔａｌ  Ｄｉｓｐｌａｙ）４１に表示する機能をも備えている。
【００２９】
また、複合機１の正面側には、操作パネル４が設けられている。操作パネル４は、プリンタ２やスキャナ３を操作するためのものであり、各種操作キー４０（４０ａ、４０ｂ、４０ｃ、４０ｄ、４０ｅ）とＬＣＤ４１とが備えられている。
【００３０】
ＬＣＤ４１は、矢印Ａ方向を長手方向（幅方向）とする矩形状に形成されており、幅方向を横とした場合の縦横比は３対８で構成されている。より具体的には、縦横比が３対４である矩形状の独立した２つのＬＣＤを矢印Ａ方向に隣接させて一体的に構成されている。但し、図中では、この縮尺は無視して図示している。
【００３１】
また、ＬＣＤ４１は周知の直接入力パネルと一体で構成されており、ＬＣＤ４１に表示しているサムネイル、アイコン等がユーザーによって直接入力されれば、その直接入力されたＬＣＤ４１上の座標から直接入力されたサムネイル、アイコン等を認識することができる。また、直接入力された表示領域だけでなく、ユーザーがＬＣＤ４１上を所定の軌跡に沿ってなぞった場合、その軌跡の終点のＬＣＤ４１上の座標も認識することができる。
【００３２】
複合機１に所定の指令が入力されると、その入力された情報に基づいて該複合機１の動作が制御部２０（図２参照）によって制御される。なお、複合機１は、操作パネル４から入力された指令のほか、コンピュータからプリンタドライバやスキャナドライバ等を介して送信される指令に基づいて動作するように構成されている。
【００３３】
操作パネル４の下方であって上記開口１１の上方には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。
【００３４】
接続パネル７０の右端側にはスロット部７２が配設されている。スロット部７２はメモリカード（カード型メモリ）を装填可能な複数のカードスロットが設けられている。カードスロットにメモリカードが装填され、該装填されたメモリカードから画像データが後述の制御部２０により読み出すことができる。
【００３５】
図２を参照して、複合機１の動作を制御する制御部２０の概略構成について説明する。図２は、複合機１の制御部２０の概略構成を示すブロック図である。制御部２０は、プリンタ２、スキャナ３及び操作パネル４を含む複合機１の動作を統括的に制御するものである。
【００３６】
制御部２０は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。  
ＣＰＵ２１は、複合機１を総括的に制御する中央演算処理であり、ＲＯＭ２２に記憶されているプログラムに沿って動作する。ＲＯＭ２２には、複合機１の各種動作を制御するためのプログラムが格納されており、図４のフローチャートに示す画像データ並び替え処理を実行させるためのプログラムとして、画像データ並び替えプログラム２２ａが記憶されている。この画像データ並び替え処理は、予め決められている複数の画像データの順番（更新日時順、ファイル名順、サイズ順等）をユーザーの指示に従って並び替え、その並び替えた順番に従って複数の画像データを印刷、ＦＡＸ、保存、表示する処理である。
【００３７】
ＥＥＰＲＯＭ２３は、書き換え可能な不揮発性のメモリであり、表示領域メモリ２３ａを備えている。表示領域メモリ２３ａは、ＬＣＤ４１上に表示するサムネイルのサムネイル表示領域Ｓ１〜Ｓ５や各種アイコンの表示領域と、ＬＣＤ４１上の座標とを対応つけて記憶するものである。
【００３８】
ここで、図３を参照して、表示領域メモリ２３ａについて、具体的に説明する。図３（ａ）は、サムネイル表示画面をＬＣＤ４１に表示した場合に、ＬＣＤ４１に表示するサムネイルやアイコンの表示位置を説明するための図である。図３（ｂ）は、表示領域メモリ２３ａに記憶されている座標テーブルを模式的に示す図である。
【００３９】
図３（ａ）に示す通り、サムネイル表示画面は、所定の順番で最大で４ページ分のサムネイルを一列に並べたサムネイル列をＬＣＤ４１に表示する表示画面であり、初期状態では、後述する画像データメモリ２４ａに記憶されている画像データのサムネイルを所定の順番（更新日時順、ファイル名順、サイズ順等）で並べて表示する。座標テーブルには、この４ページ分のサムネイルを表示するサムネイル表示領域Ｓ１〜Ｓ４と、ＬＣＤ４１上の座標とが対応つけて記憶されている。
【００４０】
例えば、図３（ｂ）に示す通り、サムネイル列の最左端のサムネイル表示領域Ｓ１は、ＬＣＤ４１上の２点の座標（座標Ａ（５，１０）、座標Ｂ（１７，２２））と対応つけて記憶されており、サムネイル表示領域Ｓ１は、この２点の座標により規定される矩形状の領域として規定されている。同様に、サムネイル列の各サムネイル表示領域Ｓ２〜Ｓ４は、ＬＣＤ４１上の２点の座標と対応つけて記憶されており、これにより、各サムネイル表示領域Ｓ１〜Ｓ４のうち、いずれのサムネイル表示領域Ｓ１〜Ｓ４がタッチされたかを検出することができる。
【００４１】
また、サムネイル列の下方の表示領域には、帯状のアイコンであるスクロールバー５０を表示するスクロールバー表示領域ＳＢが設定されている。スクロールバー５０は、サムネイル列に表示するサムネイルを切替える指示を受け付けるアイコンである。
【００４２】
スクロールバー表示領域ＳＢは、その長手方向が画像データの総数で均等に区画され、座標テーブルには、その区画された各区画領域と、ＬＣＤ４１上の座標とが対応つけて記憶されている。即ち、スクロールバー５０は、長手方向の全長が画像データの総数を示し、左から順番に各ページを示している。例えば、画像データの総数が３０ページであれば、スクロールバー５０の長手方向の左端が１ページ目、真中が１５ページ目、右端が３０ページ目を示している。
【００４３】
具体的には、図３（ｂ）に示すように、スクロールバー表示領域ＳＢは、ＬＣＤ４１上の２点の座標（座標Ｃ（９，５）、座標Ｄ（５４，６）と対応つけて記憶されており、スクロールバー表示領域ＳＢは、この２点の座標により規定される矩形状の領域として規定されている。
【００４４】
また、そのスクロールバー表示領域ＳＢが長手方向に画像データの総数で均等に区画され、その区画された各区画領域と、ＬＣＤ４１上の２点の座標とが対応つけて記憶されている。例えば、１ページ目の区画領域ＳＢ１は、ＬＣＤ４１上の２点の座標（座標Ｃ（９，５）、座標Ｅ（１３，６）と対応つけて記憶されており、１ページ目の区画領域ＳＢ１は、この２点の座標により規定される矩形状の領域として規定されている。これにより、スクロールバー表示領域ＳＢのうち、いずれの区画領域がタッチされたかを検出することができると共に、何ページ目の画像データに対する区画領域がタッチされたかを検出することができる。
【００４５】
また、スクロールバー５０の下方には、選択番号表示領域Ｎが設定されている。この選択番号表示領域Ｎは、サムネイル列からユーザーが選択したサムネイルの選択順番を示す数字を、選択番号として表示する領域であり、スクロールバー５０の各区画領域に対応して設定されている。具体的には、図３（ｂ）に示すように、選択番号表示領域Ｎの全表示領域は、ＬＣＤ４１上の２点の座標（座標Ｆ（９，１）、座標Ｇ（５４，３）と対応つけて記憶されており、選択番号表示領域Ｎの全表示領域は、この２点の座標により規定される矩形状の領域として規定されている。
【００４６】
また、その表示領域Ｎが長手方向にスクロールバー５０の各区画領域と対応するように区画され、その区画された各区画領域と、ＬＣＤ４１上の２点の座標とが対応つけて記憶されている。例えば、スクロールバー５０の１ページ目の区画領域ＳＢ１に対応する区画領域Ｎ１として、ＬＣＤ４１上の２点の座標（座標Ｆ（９，１）、座標Ｈ（１３，３）と対応つけて記憶されており、この区画領域Ｎ１は、この２点の座標により規定される矩形状の領域として規定されている。これにより、選択番号表示領域Ｎのうち、いずれの区画領域がタッチされたかを検出することができると共に、何ページ目の画像データに対する区画領域がタッチされたかを検出することができる。
【００４７】
ＲＡＭ２４は、ＣＰＵ２１が上記プログラムを実行する際に用いる各種データを一時的に記録する記憶領域又は作業領域として使用され、画像データメモリ２４ａと、サムネイル列リストメモリ２４ｂと、Ｎｉｎ１設定条件メモリ２４ｃと、選択解除フラグ２４ｄと、ナンバー用カウンタ２４ｅとが設けられている。
【００４８】
画像データメモリ２４ａは、サムネイル表示画面に表示するサムネイルの画像データを記憶するものであり、画像データは、メモリカードから、又は、内部メモリ（例えば、ＥＥＰＲＯＭ２３）から、又は、スキャナ３から読み込んだ画像データが記憶されている。
【００４９】
サムネイル列リストメモリ２４ｂは、サムネイル列リスト（図６（ｂ１）参照）を記憶するものであり、このサムネイル列リストに従って、サムネイル列のサムネイルを表示する。尚、このサムネイル列リストについては、後述する。
【００５０】
Ｎｉｎ１設定条件メモリ２４ｃは、１枚の記録用紙し、何ページ分の画像を、どのような配置で印刷するかの条件を記憶するメモリであり、このＮｉｎ１設定条件メモリ２４ｃに記憶されるＮｉｎ１設定条件は、ユーザーによって設定される。
【００５１】
選択解除フラグ２４ｄは、サムネイル列に表示しているサムネイルの中から、ユーザーが選択した選択済みのサムネイルを、選択解除（未選択）にするか否かを示すフラグであり、選択解除フラグが「１」に設定されている場合において、所定のサムネイルが選択され、その選択したサムネイルが選択状態である場合には、その選択状態が解除され、未選択となる。尚、この選択解除フラグ２４ｄの設定は、ユーザーによって設定される。
【００５２】
ナンバー用カウンタ２４ｅは、サムネイル列に表示しているサムネイルの中から、ユーザーが選択状態にしたサムネイルの順番をカウントするカウンタである。ユーザーによって１つのサムネイルが選択されると「１」加算し、選択状態にあるサムネイルの選択が解除されると「１」減算する。
【００５３】
ＡＳＩＣ２６は、ＣＰＵ２１からの指令に従い、プリンタ２、スキャナ３、操作パネル４、及びスロット部７２などの動作制御を行なう。
【００５４】
また、ＡＳＩＣ２６には、複合機１に所望の指令を入力する操作キー４０を制御するパネルゲートアレイ２７（パネルＧＡ２７）、ＬＣＤ４１の画面表示を制御するＬＣＤコントローラ２８、コンピュータとパラレルケーブル又はＵＳＢケーブルを介してデータの送受信を行なうためのパラレルインタフェース２９、ＵＳＢ端子７１、アンプ７を介してスピーカ７４が接続されている。さらに、ＡＳＩＣ２６には、ＮＣＵ（Ｎｅｔｗｏｒｋ  Ｃｏｎｔｒｏｌ  Ｕｎｉｔ）３１が接続され、そのＮＣＵにはモデム３２が接続されている。
【００５５】
次に、図４を参照して、画像データ並び替え処理について説明する。図４は、画像データ並び替え処理を示すフローチャートである。この処理は、予め決められている複数の画像データの順番を並び替え、その並び替えた順番に従って複数の画像データを印刷、ＦＡＸ、保存、表示する処理であり、ユーザーの実行指示が入力された場合に実行される。
【００５６】
尚、ユーザーの実行指示とは、例えば、ユーザーによってメニュー画面キー４０ａが押下され、ＬＣＤ４１にメニュー画面を表示し、そのメニュー画面に含まれる画像データ並び替え処理が選択キー４０ｄを介して選択、入力された場合に、ユーザーの実行指示が入力されたとして本処理を実行する。また、各Ｉ／Ｆで接続された外部機器からメニュー表示指示を受けた時に実行しても良い。この場合、以降の各指示も外部機器から行われると良い。
【００５７】
この処理では、まず、どのデバイスから画像データを読み込むかの指示が入力されたかを判断する（Ｓ４０１）。具体的には、内部メモリ、メモリカード、スキャナ、各Ｉ／Ｆで接続された外部記憶装置や外部コンピュータのデバイス一覧と、そのデバイス一覧から所定のデバイスを選択するように要求するメッセージとをＬＣＤ４１に表示する。そして、そのデバイス一覧から所定のデバイスがタッチされた場合に、そのタッチされたデバイスから画像データを読み込む指示が入力されたと判断する。尚、画像データを読み込むデバイスは、ここに例示されたものに限られない。
【００５８】
その結果、内部メモリ（例えば、ＥＥＰＲＯＭ２３）からの画像データの読み込み指示が入力された場合には、その内部メモリに記憶されている画像データを読み込み、画像データメモリ２４ａに記憶する（Ｓ４０２）。また、スキャナ３からの画像データの読み込み指示が入力された場合には、スキャナ３を起動させ、スキャナ３で読み取った画像データを読み込み、画像データメモリ２４ａに記憶する（Ｓ４０３）。また、メモリカードからの読み込み指示が入力された場合には、メモリカードに記憶されている画像データを読み込み、画像データメモリ２４ａに記憶する（Ｓ４０４）。
【００５９】
そして、画像データメモリ２４ａに記憶されている画像データからサムネイル列リスト（図６（ｂ１）参照）を作成し、その作成したサムネイル列リストを、サムネイル列リストメモリ２４ｂに記憶する（Ｓ４０５）。また、この場合、画像データの総数に基づいて、スクロールバー５０の各区画領域に、ＬＣＤ４１上の座標を割り当て、その対応情報を表示領域メモリ２３ａに記憶する。同様に、画像データの総数に基づいて、選択番号表示領域Ｎの各区画領域に、ＬＣＤ４１上の座標を割り当て、その対応情報を表示領域メモリ２３ａに記憶する。
【００６０】
Ｓ４０５で、サムネイル列リストを作成、記憶すると、次に、画像データの読み込みを続行するか否かのメッセージをＬＣＤ４１に表示し、そのメッセージを受けたユーザーから読み込み続行の指示が入力されたかを判断する（Ｓ４０６）。そして、続行する指示が入力された場合には（Ｓ４０６：Ｙｅｓ）、Ｓ４０１からの処理を繰り返し、新たに読み込んだ画像データに関する必要な情報を、サムネイル列リストに追加する。また、画像データの総数に基づいて、スクロールバー５０の各表示領域に、ＬＣＤ４１上の座標を割り当て、その対応情報を表示領域メモリ２３ａに記憶する。一方、続行しない指示が入力された場合には（Ｓ４０６：Ｎｏ）、編集処理（Ｓ４０７）を実行する。
【００６１】
図５は、編集処理を示すフローチャートである。この処理では、まず、サムネイル列リストメモリ２４ｂに記憶されているサムネイル列リストに従って、ＬＣＤ４１に初期状態のサムネイル表示画面（図６（ａ１）参照）を表示する（Ｓ５０１）。尚、前述したように、外部機器等からメニュー表示指令を受けた場合は、その外部機器が備える表示装置に各種表示のためのデータを送信し、表示を行わせると良い。
【００６２】
ここで、図６（ａ１）、図６（ｂ１）を参照して、初期状態のサムネイル表示画面について説明する。図６（ａ１）は、初期状態のサムネイル表示画面を示し、図６（ｂ１）は初期状態のサムネイル列リストを模式的に示す図である。
【００６３】
図６（ａ１）に示す初期状態のサムネイル表示画面は、図６（ｂ１）に示す初期状態のサムネイル列リストに従って表示する。図６（ｂ１）に示す通り、サムネイル列リストは、サムネイル毎（画像データ毎）に、ページ番号５５と、画像ファイル名５６と、画面内フラグ５７と、選択済みフラグ５８と、選択番号５９と、選択回数６０との各々が対応つけて記憶されている。
【００６４】
ページ番号５５は、サムネイル列に表示する各サムネイルの表示順を示している。画像ファイル名５６は、各サムネイルに対応する各画像データのファイル名を示している。この画像フィル名により各サムネイルに対応する画像データを特定することができる。画面内フラグ５７は、各サムネイルをＬＣＤ４１に表示するか否かを示すものであり、表示する場合に「１」、表示しない場合に「０」に設定する。選択済みフラグ５８は、各サムネイルが選択済みか否かを示し、選択済みであるる場合に「１」、選択済みでない、即ち、未選択である場合に「０」に設定する。選択番号５９は、選択されたサムネイルの選択順番を示している。選択回数６０は、選択された回数を示している。
【００６５】
本実施形態では、初期状態では、ページ番号５５が「１」〜「４」に対応するサムネイルの画面内フラグ５７を「１」に設定する。また、画面内フラグ５７が「１」に設定されているサムネイルのうち、ページ番号５５の番号が早い方から順番に、サムネイル列の左から順番にサムネイルを表示する。
【００６６】
よって、サムネイル列リストが図６（ｂ１）に示す状態の場合、図６（ａ１）に示すサムネイル表示画面のサムネイル列には、左から順番に、画像ファイル名が「ａａａ．ｐｄｆ」、「ｂ２ｂ２．ｐｄｆ」、「３３３ｃ．ｐｄｆ」、「４ｄｄｄ．ｐｄｆ」「Ｖ．ｐｄｆ」に対応するサムネイルを表示する。
【００６７】
また、この場合、サムネイル列に表示する各サムネイルには、各サムネイルのページ番号５５に対応したローマ数字（Ｉ，ＩＩ，ＩＩＩ・・Ｖ）を対応つけて表示する。更に、スクロールバー５０を座標テーブルに記憶されているＬＣＤ４１上の座標に従って表示すると共に、スクロールバー５０上に沿って移動するポインタ５１を、スクロールバー５０の左端に表示する。尚、サムネイル列、スクロールバー５０、ポインタ５３は、上述した順番で必ずしも表示されるものではない。
【００６８】
再び、図５に戻り、説明を続ける。Ｓ５０１の処理において、初期状態のサムネイル表示画面を表示すると、次に、Ｎｉｎ１設定条件が設定されたかを判断する（Ｓ５０２）。例えば、２ｉｎ１（１の記録用紙中に２つの画像を印刷する）または４ｉｎ１（１の記録用紙中に４つの画像を印刷する）が設定されたかを判断する。
【００６９】
そして、そのＮｉｎ１設定がされた場合には（Ｓ５０２：Ｙｅｓ）、その設定されたＮｉｎ１設定条件を、Ｎｉｎ１設定条件メモリ２４ｃから取得し（Ｓ５０３）、設定されていなければ（Ｓ５０２：Ｎｏ）、Ｓ５０３の処理はスキップして、Ｓ５０４の処理に移行する。例えば、２ｉｎ１に設定されている場合、後述するように、サムネイル表示画面において表示する選択番号は、２つづ異なる態様で表示する。例えば、選択番号「１」と「２」とは装飾がない単なる数字、選択番号「３」と「４」とは白抜きの数字、選択番号「５」と「６」とは、数字を円で囲んだ状態等で表示する。
【００７０】
そして、Ｓ５０４の処理では、スクロールバー５０または選択番号がタッチされたかを判断し（Ｓ５０４）、スクロールバー５０または選択番号がタッチされていないと判断した場合には（Ｓ５０４：Ｎｏ）、後述するＳ５０７の処理に移行する。一方、スクロールバー５０または選択番号がタッチされたと判断した場合には（Ｓ５０４：Ｙｅｓ）、次に、予め設定されている選択解除フラグ２４ｄが「１」に設定されているかを判断する（Ｓ５０５：Ｙｅｓ）。選択解除フラグ２４ｄが「１」に設定されている場合には（Ｓ５０５：Ｙｅｓ）、後述するＳ５１６の処理に移行する。
【００７１】
一方、選択解除フラグ２４ｄが「１」に設定されていない場合には（Ｓ５０５：Ｎｏ）、タッチされたスクロールバー５０の区画領域に対応するサムネイル、または、タッチされた選択番号に対応するサムネイルをサムネイル列に表示するように、サムネイル列を切替えて表示する（Ｓ５０６）。
【００７２】
ここで、図６（ａ２）、（ｂ２）を参照して、スクロールバー５０がタッチされた場合について具体的に説明する。図６（ａ２）は図６（ｂ１）に示すサムネイル表示画面から、サムネイル列の表示を切替えた後のサムネイル表示画面、図６（ｂ２）は、スクロールバー５０がタッチされたことを受けて、図６（ｂ１）に示すサムネイル列リストから、更新された後のサムネイル列リストを示す図である。
【００７３】
図６（ａ１）に示す初期状態のサムネイル表示画面が表示されている状態で、スクロールバー５０の左から第５番目の区画領域がユーザーによってタッチされたとする。
【００７４】
この場合、タッチされたＬＣＤ４１上の座標を検出し、その検出した座標から座標テーブルを利用して、スクロールバー５０のどの区画領域がタッチされたかを検出する。即ち、スクロールバー５０の左から第５番目の区画領域がタッチされたことを検出する。そして、この場合、サムネイル列リストのページ番号５５が「５」であるサムネイルを、サムネイル列の最左に表示する指示があったと判断する。
【００７５】
そして、図６（ｂ１）に示すサムネイル列リストを、図６（ｂ２）に示すように更新する。具体的には、ページ番号５５が「５」〜「８」の画面内フラグ５７を「１」に設定すると共に、他の画面内フラグ５７を「０」に設定する。
【００７６】
こうして、図６（ｂ２）に示す更新したサムネイル列リストに従って、サムネイル表示画面を、図６（ａ１）に示す状態から図６（ａ２）に示す状態に更新する。即ち、サムネイル列の左から順番に、ページ番号５５が「５」〜「８」に対応する４枚のサムネイル（ローマ数字：Ｖ〜ＶＩ）を順番に表示する。
【００７７】
尚、タッチされたスクロールバー５０の座標を検出した場合には、図６（ａ２）に示すように、その検出した座標に対応する位置にポインタ５１を表示する。これにより、現在、サムネイル列として表示されているサムネイルが、全体のどの辺りの順番のサムネイルであるかを一見して把握することができる。
【００７８】
また、上述した実施形態では、スクロールバー５０の所定位置がタッチされると、そのタッチした位置に対応するサムネイルを、サムネイル列の最左に表示する場合について説明したが、タッチした位置に対応するサムネイルがサムネイル列に表示されれば、サムネイルを表示する位置は、サムネイル列の最左に限定されるものではない。
【００７９】
更に、後述するサムネイル表示画面に表示される選択番号がタッチされた場合には、そのタッチされた選択番号に対応するサムネイルをサムネイル列の最左に表示する。
【００８０】
再び、図５に戻り説明を続ける。Ｓ５０６の処理において、サムネイル列の表示を切替えた場合、または、Ｓ５０４の処理において、スクロールバー５０または選択番号がタッチされていないと判断した場合には、サムネイル列のうち所定のサムネイルがタッチされたか否かを判断する（Ｓ５０７）。サムネイルがタッチされていないと判断した場合には（Ｓ５０７：Ｎｏ）、後述するＳ５２０の処理に移行する。
【００８１】
一方、サムネイルがタッチされた判断すると（Ｓ５０７：Ｙｅｓ）、タッチされたサムネイルの選択済みフラグ５８がサムネイル列リストにおいて「１」に設定されているか否かを判断する（Ｓ５０８）。選択済みフラグが「１」である、即ち、選択済みであると判断した場合には（Ｓ５０８：Ｙｅｓ）には、重複選択（２回目以上の選択）であると判断し、Ｓ５０９〜Ｓ５１１の処理はスキップして後述するＳ５１３の処理に移行する。
【００８２】
一方、選択済みフラグが「１」でない「０」、即ち、タッチされたサムネイルが未選択状態であると判断した場合には（Ｓ５０８：Ｎｏ）、そのタッチされたサムネイルの選択済みフラグを「０」から「１」に設定する（Ｓ５０９）。即ち、本実施形態では、サムネイル列に表示されているサムネイルがタッチされると、そのタッチされたサムネイルが選択状態として設定される。
【００８３】
そして、ナンバー用カウンタ２４ｅに「１」を加算し（Ｓ５１０）、その加算したナンバー用カウンタ２４ｃが示す数値に基づいて、タッチされたサムネイルの選択番号５９を設定する（Ｓ５１１）。
【００８４】
そして、選択解除フラグ２４ｄが「１」に設定されているか否かを判断する（Ｓ５１３）。選択解除フラグ２４ｄが「１」に設定されている場合（Ｓ５１３：Ｙｅｓ）、後述するＳ５１６の処理に移行し、選択解除フラグ２４ｄが「１」に設定されていない場合には（Ｓ５１３：Ｎｏ）、タッチされたサムネイルの選択回数を設定する（Ｓ５１４）。
【００８５】
こうして、タッチされたサムネイルの周縁に枠Ｗを表示すると共に、Ｓ５１１で設定した選択番号と、Ｓ５１４で設定した選択回数（「１」を除く）を示す数字とを、タッチされたサムネイルに対応する選択番号表示領域Ｎに表示する（Ｓ５１５）。
【００８６】
そして、編集終了か否かを判断する（Ｓ５２０）。具体的には、サムネイル表示画面中には、図示しない「編集終了」の文字が入ったアイコンである編集終了アイコンが表示されており、その編集終了アイコンがユーザーによってタッチされたかを判断する。そして、所定時間内に、編集終了アイコンがタッチされなければ（Ｓ５２０：Ｎｏ）、Ｓ５０４からの処理を繰り返す。一方、編集終了アイコンがタッチされれば（Ｓ５２０：Ｙｅｓ）、本処理を終了する。
【００８７】
ここで、図７（ａ１）、図７（ｂ１）を参照して、選択番号の「１」をＬＣＤに表示する場合について説明する。図７（ａ１）は、選択番号の「１」が表示されている状態のサムネイル表示画面、図７（ｂ１）は、図７（ａ１）に示すサムネイル表示画面を表示させるためのサムネイル列リストを示す図である。
【００８８】
図６（ａ１）に示す初期状態のサムネイル表示画面が表示されている状態で、サムネイル列の左から第２番目に表示されているサムネイルがタッチされたとする。この場合、このタッチされたＬＣＤ４１上の座標を検出し、その検出した座標から座標テーブル、サムネイル列リストを利用して、タッチされたサムネイルを特定する。
【００８９】
即ち、座標テーブルを利用して、サムネイル列の左から第２番目の表示領域がタッチされたことを検出し、図６（ａ２）に示すサムネイル列リストの画面内フラグ５７が「１」に設定されているサムネイルのうち、ページ番号５５が上位から第２番目のサムネイルがタッチされたことを検出する。
【００９０】
そして、ナンバー用カウンタ２４ｅに「１」を加算してナンバー用カウンタ２４ｅを「１」に設定する。また、図６（ｂ１）に示すサムネイル列リストを、図７（ｂ１）に示すように更新する。具体的には、ページ番号５５が上位から第２番目のページ番号５５が「２」であるサムネイルの選択済みフラグ５８を「０」から「１」に設定する。更に、ナンバー用カウンタ２４ｅの値に基づいて、選択番号５９を「−」から「１」に設定する。更に、選択回数６０を「−」から「１」に設定する。
【００９１】
こうして、更新した図７（ｂ１）に示すサムネイル列リストに従って、サムネイル表示画面を、図６（ａ１）に示す状態から図７（ａ１）に示す状態に更新する。即ち、サムネイル列の左から第２番目のサムネイルの周縁に枠Ｗを表示すると共に、タッチしたサムネイルに対応する選択番号表示領域Ｎに、選択番号５９が示す「１」という数字を表示する。尚、この場合、ポインタ５１をタッチされたサムネイルに対応するスクロールバー５０の区画領域に表示する。
【００９２】
次に、図７（ａ２）、図７（ｂ２）を参照して、選択番号の「２」を表示する場合について説明する。図７（ａ２）は、選択番号の「２」が表示されている状態のサムネイル表示画面、図７（ｂ２）は、図７（ａ２）に示すサムネイル表示画面を表示するためのサムネイル列リストを示す図である。
【００９３】
図７（ａ１）に示す状態のサムネイル表示画面が表示されている状態で、スクロールバー５０の左から第５番目の区画領域がユーザーによってタッチされたとする。この場合には、上述したのと同様に、図７（ｂ１）に示すサムネイル列リストのページ番号５５が「５」〜「８」の画面内フラグ５７を「１」に設定すると共に、他の画面内フラグ５７を「０」に設定する。そして、そのサムネイル列リストに従って、図７（ａ２）に示すように、サムネイル列の左から順番に、ページ番号５５が「５」〜「８」に対応する４枚のサムネイル（ローマ数字：Ｖ〜ＶＩＩＩ）を順番に表示する。
【００９４】
そして、その状態から更に、図７（ａ２）に示すサムネイル列の左から第４番目に表示されているサムネイルがタッチされたとする。この場合、ナンバー用カウンタ２４ｅに「１」を加算して「２」に設定する。また、図７（ｂ１）に示すサムネイル列リストを図７（ｂ２）に示すように更新する。具体的には、図７（ｂ１）に示すサムネイル列リストのページ番号５５が「８」である選択済みフラグ５８を「０」から「１」に設定する。更に、ナンバー用カウンタ２４ｅの値に基づいて、選択番号５９を「−」から「２」に設定する。更に、選択回数６０を「−」から「１」に設定する。
【００９５】
こうして、更新した図７（ｂ２）に示すサムネイル列リストに従って、サムネイル表示画面を、図７（ａ２）に示す状態にする。即ち、サムネイル列の左から第４番目のサムネイルの周縁に枠Ｗを表示すると共に、タッチされたサムネイルに対応する選択番号表示領域に、選択番号５９が示す「２」という数字を表示する。
【００９６】
次に、図８（ａ１）、図８（ｂ１）を参照して、選択番号の「３」を表示する場合について説明する。図８（ａ１）は、選択番号の「３」が表示されている状態のサムネイル表示画面、図８（ｂ１）は、図８（ａ１）に示すサムネイル表示画面を表示するためのサムネイル列リストを示す図である。
【００９７】
図７（ａ２）に示す状態のサムネイル表示画面が表示されている状態で、スクロールバー５０の左から第１番目の区画領域がユーザーによってタッチされたとする。この場合には、上述したのと同様に、図７（ｂ２）に示すサムネイル列リストのページ番号５５が「１」〜「４」の画面内フラグ５７を「１」に設定すると共に、他の画面内フラグ５７を「０」に設定する。そして、そのサムネイル列リストに従って、図８（ａ１）に示すように、サムネイル列の左から順番に、ページ番号５５が「１」〜「４」に対応する４枚のサムネイル（ローマ数字：Ｉ〜ＩＶ）を順番に表示する。
【００９８】
そして、その状態にある図８（ａ１）に示すサムネイル表示画面において、更に、サムネイル列の左から第４番目に表示されているサムネイルがタッチされたとする。この場合、ナンバー用カウンタ２４ｅに「１」を加算して「３」に設定する。また、図７（ｂ２）に示すサムネイル列リストを図８（ｂ１）に示すように更新する。具体的には、図７（ｂ２）に示すサムネイル列リストのページ番号５５が「４」である選択済みフラグ５８を「０」から「１」に設定する。更に、ナンバー用カウンタ２４ｅの値に基づいて、選択番号５９を「−」から「３」に設定する。更に、選択回数６０を「−」から「１」に設定する。
【００９９】
こうして、更新した図８（ｂ１）に示すサムネイル列リストに従って、サムネイル表示画面を、図８（ａ１）に示す状態にする。即ち、サムネイル列の左から第４番目のサムネイルの周縁に枠Ｗを表示すると共に、タッチしたサムネイルに対応する選択番号表示領域に、選択番号５９が示す「３」という数字を表示する。
【０１００】
次に、図８（ａ２）、図８（ｂ２）を参照して、同じサムネイルが２回選択された場合について説明する。図８（ａ２）は、選択回数（２）が表示されている状態のサムネイル表示画面、図８（ｂ２）は、図８（ａ２）に示すサムネイル表示画面を表示するためのサムネイル列リストを示す図である。
【０１０１】
図８（ａ１）に示す状態のサムネイル表示画面が表示されている状態で、サムネイル列の左から第４番目に表示されているサムネイルがタッチされたとする。この場合、ナンバー用カウンタ２４ｅに「１」を加算して「４」に設定する。また、図８（ｂ１）に示すサムネイル列リストのページ番号５５が「４」である選択回数６０を「１」から「２」に設定する。
【０１０２】
こうして、更新した図８（ｂ２）に示すサムネイル列リストに従って、サムネイル表示画面を、図８（ａ２）に示す状態にする。即ち、選択番号「３」の図中横方に選択回数を示す（２）を表示する。この表示により、ユーザーは、選択番号が「３」のサムネイルは２回選択したことを一見して確認することができる。尚、選択回数（２）を表示する位置は、かかる位置に限定されるものではなく、対応する選択番号表示領域内であって選択番号の図中下方、上方であっても良い。
【０１０３】
このように、上述した編集処理では、サムネイル列に表示したサムネイルからユーザーが選択したサムネイルの順番を、選択番号として対応するスクロールバー５０の位置に表示し、その選択番号や、その選択番号に対応する位置のスクロールバー５０をタッチすれば、その選択番号に対応するサムネイルが、サムネイル列に表示されるので、その選択番号や、その選択番号に対応する位置のスクロールバー５０をタッチするという簡単な操作で、ユーザーが選択したサムネイルのうち、ユーザーが所望するサムネイルを表示することができるのである。
【０１０４】
再び、図５に戻って説明を続ける。Ｓ５０５、Ｓ５１３において、選択解除フラグ２４ｄが「１」に設定されている場合には、Ｓ５１６からの処理を実行する。Ｓ５１６では、該当するサムネイル（タッチされたサムネイルまたはタッチされたスクロールバー５０の区画領域に対応するサムネイル、または、タッチされた選択番号に対応するサムネイル）の選択済みフラグ５８を「０」、即ち、未選択に設定する（Ｓ５１６）。またナンバー用カウンタ２４ｅを「１」減算し（Ｓ５１６）、サムネイル列リストの選択番号５９を更新する（Ｓ５１８）。そして、更新した選択番号５９に従って、各選択番号表示領域に表示する選択番号を更新する（Ｓ５１９）。
【０１０５】
そして、編集終了か否かを判断する（Ｓ５２０）。具体的には、サムネイル表示画面中には、図示しない「編集終了」の文字が入ったアイコンである編集終了アイコンが表示されており、その編集終了アイコンがユーザーによってタッチされたかを判断する。そして、所定時間内に、編集終了アイコンがタッチされなければ（Ｓ５２０：Ｎｏ）、Ｓ５０４からの処理を繰り返す。一方、編集終了アイコンがタッチされれば（Ｓ５２０：Ｙｅｓ）、本処理を終了する。
【０１０６】
ここで、図９を参照して、選択解除フラグ２４ｄが「１」に設定されている場合について説明する。現在、選択解除フラグ２４ｄが「１」に設定されており、図９（ｂ１）に示すサムネイルリストに従って、図９（ａ１）に示すサムネイル表示画面が表示されているとする。
【０１０７】
この状態で、図９（ａ１）のサムネイル表示画面において、サムネイル列の左から４番目のサムネイルがタッチされ、または、スクロールバー５０の左から第８番目に対応する区画領域がタッチされ、または、選択番号の「２」がタッチされたとする。この場合には、タッチされたサムネイルを特定し、または、タッチされた区画領域、または、タッチされた選択番号に対応するサムネイルを特定する。即ち、ページ番号が「８」であるサムネイルを特定する。
【０１０８】
そして、図９（ｂ１）に示すサムネイル列リストを図９（ｂ２）に更新する。具体的には、図９（ｂ１）に示すサムネイル列リストにおいて、ページ番号「８」であるサムネイルの選択済みフラグ５８を「１」から「０」、即ち、未選択に設定する。また、ナンバー用カウンタ２４ｅを「１」減算する。そして、サムネイル列リストにおいて選択番号５９が「２」より大きい選択番号５９の全部を、それぞれ１つ減算する。
【０１０９】
こうして、更新した図９（ｂ２）に示すサムネイル列リストに従って、サムネイル表示画面を、図９（ａ２）に示す状態にする。即ち、図９（ａ１）に示す選択番号の「２」を削除すると共に、選択番号の「３」を「２」に書き換えて表示する。
【０１１０】
再び、図４に戻って説明を続ける。編集処理が終了すると、次に、ユーザーから所定の処理の実行指示が入力されたかを判断する（Ｓ４０８）。その結果、ユーザーから印刷処理の指示があった場合には（印刷）、現在、設定されている順番で、印刷する印刷処理を実行し（Ｓ４０９）、本処理を終了する。また、ＦＡＸ送信処理の指示があった場合には（ＦＡＸ）、現在、設定されている順番で、ＦＡＸ送信するＦＡＸ送信処理を実行し（Ｓ４１０）、本処理を終了する。また、ファイル作成処理の指示があった場合には（ファイル作成）、現在、設定されている順番で、１つのファイルを作成、保存（記憶）するファイル作成処理を実行し（Ｓ４１１）、本処理を終了する。また、スライド表示処理の指示があった場合には（スライド表示）、現在、設定されている順番で、スライド表示するスライド表示処理を実行し（Ｓ４１２）、本処理を終了する。これにより、ユーザーの意思で、並び替えた画像データの順番で、画像データを印刷、ＦＡＸ、保存、表示することができる。
【０１１１】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１１２】
例えば、上述した実施形態では、選択番号をスクロールバー５０の対応位置に表示する場合について説明したが、選択番号はスクロールバー５０とは無関係の位置に表示するように構成しても良い。かかる場合にも、その選択番号がタッチされた場合には、その選択番号に対応するサムネイルがサムネイル列に表示されるのは当然である。
【０１１３】
また、上述した実施形態では、選択解除フラグ２４ｄを設け、この選択解除フラグ２４ｄの設定状態に応じて、選択したサムネイルの選択を解除する場合について説明したが、この選択解除フラグ２４ｄを設けることなく、例えば、連続して２回タッチされたサムネイルは、選択を解除するように構成しても良い。
【０１１４】
また、上述した実施形態では、複数回（２回以上）、選択したサムネイルには、選択番号に対応つけて（選択番号の下方に）選択回数を表示する場合について説明したが、これに替えて、選択番号を複数個表示するように構成して良い。例えば、１番目と、３番目と、５番目の３回、同じサムネイルが選択された場合には、１，３，５の数字を表示するように構成しても良い。この場合には、表示順と、選択回数の両方を一見して把握することができる。
【０１１５】
また、上述した実施形態におけるスクロールバー５０を表示する場合に、各区画領域が示す表示順を数字で表示するように構成しても良い。かかる場合には、ユーザーがスクロールバー５０のどの区画領域をタッチすれば良いかかのあたりを付けやすくすることができる。
【０１１６】
また、本実施形態で示したタッチパネルでは、ＬＣＤ４１上にタッチすることで、タッチしたＬＣＤ４１上の表示領域を特定したが、ＬＣＤ４１上に直接接触（タッチ）することなく、ＬＣＤ４１上への物理的な接近に基づいて、その接近したＬＣＤ４１上の座標を検出する方式のタッチパネルを用いる等、タッチパネルの方式は限定されない。
【図面の簡単な説明】
【０１１７】
【図１】複合機の外観構成を示す斜視図である。
【図２】複合機の制御部の概略構成を示すブロック図である。
【図３】（ａ）は、サムネイル表示画面をＬＣＤに表示した場合に、ＬＣＤに表示するサムネイルやアイコンの表示位置を説明するための図である。（ｂ）は、表示領域メモリに記憶されている座標テーブルを模式的に示す図である。
【図４】画像データ並び替え処理のフローチャートである。
【図５】編集処理のフローチャートである。
【図６】（ａ１）はサムネイル表示画面を示す図であり、（ｂ１）は（ａ１）のサムネイル表示画面を表示するためのサムネイル列リストを示す図である。（ａ２）はサムネイル表示画面を示す図であり、（ｂ２）は（ａ２）のサムネイル表示画面を表示するためのサムネイル列リストを示す図である。
【図７】（ａ１）はサムネイル表示画面を示す図であり、（ｂ１）は（ａ１）のサムネイル表示画面を表示するためのサムネイル列リストを示す図である。（ａ２）はサムネイル表示画面を示す図であり、（ｂ２）は（ａ２）のサムネイル表示画面を表示するためのサムネイル列リストを示す図である。
【図８】（ａ１）はサムネイル表示画面を示す図であり、（ｂ１）は（ａ１）のサムネイル表示画面を表示するためのサムネイル列リストを示す図である。（ａ２）はサムネイル表示画面を示す図であり、（ｂ２）は（ａ２）のサムネイル表示画面を表示するためのサムネイル列リストを示す図である。
【図９】（ａ１）はサムネイル表示画面を示す図であり、（ｂ１）は（ａ１）のサムネイル表示画面を表示するためのサムネイル列リストを示す図である。（ａ２）はサムネイル表示画面を示す図であり、（ｂ２）は（ａ２）のサムネイル表示画面を表示するためのサムネイル列リストを示す図である。
【符号の説明】
【０１１８】
１      複合機（画像表示装置）
２３ａ  表示領域メモリ（管理手段、サムネイル表示領域記憶手段、アイコン表示領域記憶手段、特定情報表示領域記憶手段）
２４ａ  画像データメモリ（記憶手段）
２４ｂ    サムネイル列リストメモリ（選択サムネイル記憶手段）
２４ｅ    ナンバー用カウンタ（カウント手段）
Ｓ５０１  第１表示制御手段、アイコン表示制御手段
Ｓ５０２  グループ設定手段
Ｓ５０５  選択サムネイル表示制御手段
Ｓ５１５  特定情報表示制御手段
【図１】
2008301254.tif 000003
【図２】
2008301254.tif 000004
【図３】
2008301254.tif 000005
【図４】
2008301254.tif 000006
【図５】
2008301254.tif 000007
【図６】
2008301254.tif 000008
【図７】
2008301254.tif 000009
【図８】
2008301254.tif 000010
【図９】
2008301254.tif 000011